(57)【要約】【課題】粘着シートを簡単かつ精度良く貼り付けることのできるスティックを備えた二重まぶた形成具を提供すること【解決手段】表裏面に粘着性を有し、まぶたの表面に貼り付けて二重ひだを形成する帯状の粘着シート（２）と、この粘着シートをまぶたの表面における所定の位置に貼り付けるスティック（４）と、を備えた二重まぶた形成具であって、前記スティックは、前記粘着シートの表面にその２本の先端部を間隔をあけて貼り付けて当該粘着シートを支持した状態で、左右から挟持されることによって前記粘着シートの中央部を厚さ方向に弓形にたるませるための可撓性を有するＶ字状部材で形成されている構成である。【選択図】図６
0003119162.tif 000002
【実用新案登録請求の範囲】
【請求項１】
表裏面に粘着性を有し、まぶたの表面に貼り付けて二重ひだを形成する帯状の粘着シートと、この粘着シートをまぶたの表面における所定の位置に貼り付けるスティックと、を備えた二重まぶた形成具であって、
前記スティックは、前記粘着シートの表面にその２本の先端部を間隔をあけて貼り付けて当該粘着シートを支持した状態で、左右から挟持されることによって前記粘着シートの中央部を厚さ方向に弓形にたるませるための可撓性を有するＶ字状部材で形成されていることを特徴とする二重まぶた形成具。
【請求項２】
前記スティックは、前記挟持する力を弱めるとその２本の先端部が左右に広がる復元力を有しており、前記粘着シートをまぶた表面に貼り付けた後に２本の先端部を左右に広げて粘着シートから離脱されることを特徴とする請求項１記載の二重まぶた形成具。
【請求項３】
まぶた表面における二重ラインの湾曲形状に対応するように前記粘着シートをたるませることを特徴とする請求項１記載の二重まぶた形成具。
【請求項４】
前記２本の先端部の離間距離は、帯状の粘着シートの両端部を各々が支持可能なように当該粘着シートの両端部に対応する離間距離に設定されていることを特徴とする請求項１ないし３のいずれか一つに記載の二重まぶた形成具。
【請求項５】
前記粘着シートは、幅狭の扇形状に形成されていることを特徴とする請求項１ないし４のいずれか一つに記載の二重まぶた形成具。
【請求項６】
前記粘着シートは、まぶた表面の二重ラインに沿うように外周縁を湾曲させていることを特徴とする請求項５記載の二重まぶた形成具。
【請求項７】
前記粘着シートは、通気性部材で形成されていることを特徴とする請求項５又は６記載の二重まぶた形成具。
【請求項８】
前記粘着シートは、表面から裏面に貫通する微細な通気孔が穿設されていることを特徴とする請求項５ないし７のいずれか一つに記載の二重まぶた形成具。
【請求項９】
表裏面に粘着性を有し、まぶたの表面に貼り付けて二重ひだを形成する帯状の粘着シートを備えた二重まぶた形成具であって、
前記粘着シートは、外周縁及び内周縁により湾曲した形状であって、外周縁との内角が、内周縁との内角よりも小さい幅狭の扇形状に形成されていることを特徴とする二重まぶた形成具。
【請求項１０】
前記粘着シートは、まぶた表面の二重ラインに沿うように外周縁を湾曲させていることを特徴とする請求項９記載の二重まぶた形成具。
【請求項１１】
前記粘着シートは、通気性部材で形成されていることを特徴とする請求項９又は１０記載の二重まぶた形成具。
【請求項１２】
前記粘着シートは、表面から裏面に貫通する微細な通気孔が穿設されていることを特徴とする請求項９ないし１１のいずれか一つに記載の二重まぶた形成具。
【考案の詳細な説明】
【技術分野】
【０００１】
本考案は、二重まぶた形成具に関し、特に、まぶたの表面に貼り付けて二重ひだを形成する帯状の粘着シートと、この粘着シートをまぶたの表面に貼り付けるのに用いるスティックと、を備えた二重まぶた形成具に関する。
【背景技術】
【０００２】
従来、二重まぶたを形成するための手法としては、美容整形手術が知られている。しかしながら、手術を受けることに対し不安感を持つ人が多く、さらに施術費用が高いという欠点がある。そのため、従来においては、整形手術をしなくとも簡単かつ低コストで人工的に二重まぶたを形成する手法が幾つか提案されている。
【０００３】
その一つに、表裏面に接着材を塗布したテープ粘着片をまぶたの表面に貼り付けて二重まぶたを形成する手法が知られている（例えば、特許文献１参照）。その概略構成について図１０を参照して簡単に説明しておくと、片面又は両面に皮膚に適応した接着材が塗布され、目尻側から目頭側向かうに従って細くなる形状の粘着片１０の一方の面をアプリケータと呼ばれるスティック１１の先端部に離型材を介して取り付けた状態で、目を閉じたまぶたの表面に他方の面を貼り付ける。すると、粘着片１０によってまぶたの皮膚が折り込まれ、これにより人工的に二重ひだが形成されて二重まぶたとなる。
【０００４】
他の手法として、シート材の伸縮力を利用して二重ひだを形成する手法が知られている（例えば、特許文献２参照）。概略構成について図１１を参照して簡単に説明しておくと、延伸可能でその延伸後にも弾性的な伸縮性を有する細いシート材の表面及び／又は裏面に接着材を塗布して粘着シート１２を形成し、その両端部を手で引っ張ったままの状態で、当該粘着シート１２の中央部をまぶた表面に押し当てて貼り付ける。そして手を粘着シート１２の両端部から離すと、引っ張り状態から開放された際の復元力により粘着シート１２がまぶたの皮膚にくい込む状態となり、これにより二重ひだが形成されて二重まぶたとなる。この手法の場合、粘着シート１２の復元力を利用して二重ひだを形成するので、プッシャー等のスティックを用いなくとも簡単に二重まぶたを形成することができるという利点がある。
【０００５】
しかしながら、特許文献１の手法の場合、粘着片１０の一方側の全面を、スティック１１で支持するので、鏡を見ながらの作業では粘着片１０がスティック１１に隠れてしまい、二重ひだを形成する二重ラインに精度良く貼り付けるのが難しい。一般的に、粘着片１０は毎日取り替えられるので、粘着片１０の貼り付け位置が変わると、結果として日毎に二重まぶたの出来具合が異なってしまう場合がある。
【０００６】
また、特許文献２の手法の場合、粘着シート１２の両端部を手で引っ張った状態でまぶた表面に貼り付けるので、鏡を見ながらこの作業を行うのは二重ラインに沿って精度よく貼り付けるのが難しく、作業するのが煩わしいと感じる場合がある。さらに、手で粘着シート１２を伸張させるので、力の加減によって伸張の程度にばらつきが生じ、そのため手を離した際の復元作用にもばらつきが生じる。その結果、粘着シート１２を取り替える毎に二重まぶたの出来具合が異なってしまう場合がある。さらには、伸張後のシートは線状となるので、粘着面が狭く、長時間に亘って二重ひだを保持するのが難しい場合がある。
【特許文献１】特表昭５９−５０２０９２公報
【特許文献２】特許第３２７７１８０号公報
【考案の開示】
【考案が解決しようとする課題】
【０００７】
本考案は、このような事情に基づいてなされたものであり、その目的は、表裏面に粘着性を有し、まぶたの表面に貼り付けて二重ひだを形成する帯状の粘着シート備えた二重まぶた形成具において、粘着シートを簡単かつ精度良く貼り付けることのできる二重まぶた形成具を提供することにある。
【課題を解決するための手段】
【０００８】
本考案の二重まぶた形成具は、表裏面に粘着性を有し、まぶたの表面に貼り付けて二重ひだを形成する帯状の粘着シートと、この粘着シートをまぶたの表面における所定の位置に貼り付けるスティックと、を備えた二重まぶた形成具であって、前記スティックは、前記粘着シートの表面にその２本の先端部を間隔をあけて貼り付けて当該粘着シートを支持した状態で、左右から挟持されることによって前記粘着シートの中央部を厚さ方向に弓形にたるませるための可撓性を有するＶ字状部材で形成されていることを特徴とする。
【０００９】
前記スティックは、前記挟持する力を弱めるとその２本の先端部が左右に広がる復元力を有しており、前記粘着シートをまぶた表面に貼り付けた後に２本の先端部を左右に広げて粘着シートから離脱される構成であってもよい。
【００１０】
また、まぶた表面における二重ラインの湾曲形状に対応するように前記粘着シートをたるませる構成であってもよい。
【００１１】
前記２本の先端部の離間距離は、帯状の粘着シートの両端部を各々が支持可能なように当該粘着シートの両端部に対応する離間距離に設定されている構成であってもよい。
【００１２】
前記粘着シートは、幅狭の扇形状に形成されていてもよく、この場合、まぶた表面の二重ラインに沿うように外周縁を湾曲させた構成であってもよい。また、前記粘着シートは、通気性部材で形成されていてもよく、この場合、表面から裏面に貫通する微細な通気孔が穿設された構成であってもよい。
【００１３】
本考案の他の側面に係る二重まぶた形成具は、表裏面に粘着性を有し、まぶたの表面に貼り付けて二重ひだを形成する帯状の粘着シートを備えた二重まぶた形成具であって、前記粘着シートは、外周縁及び内周縁により湾曲した形状であって、外周縁との内角が、内周縁との内角よりも小さい幅狭の扇形状に形成されていることを特徴とする。
【００１４】
前記粘着シートは、まぶた表面の二重ラインに沿うように外周縁を湾曲させた構成であってもよい。また、前記粘着シートは、通気性部材で形成されていてもよく、この場合、表面から裏面に貫通する微細な通気孔が穿設された構成であってもよい。
【考案の効果】
【００１５】
本考案によれば、粘着シートの表面にその２本の先端部を間隔をあけて貼り付けて当該粘着シートを支持した状態で、左右から挟持されることによって前記粘着シートを厚さ方向に弓形にたるませるＶ字状部材でスティックを構成したことにより、粘着シートの離脱を簡単に行うことが可能となり、まぶた表面の二重ラインに沿って精度良く粘着シートを貼り付けることが可能となる。
【００１６】
また、本考案によれば、粘着シートを幅狭の扇形状にしたことにより、二重ラインに沿って精度良く貼り付けることが可能となる。さらにこの場合、線の長い外周縁側が二重ラインに沿うように貼り付けるようにすれば、二重ラインを形成した際に外周縁側が奥に位置してしっかりと皮膚を貼り付けることができ、線の短い内周縁側が前に位置することによって粘着シートを目立たなくすることが可能となる。
【考案を実施するための最良の形態】
【００１７】
本考案の二重まぶた形成具における好ましい実施形態について、添付図面を参照しながら詳細に説明する。図１は、目を閉じた状態のまぶた表面に帯状の粘着シート２を貼り付けた様子を示す図である。また、図２は、粘着シートの上面図である。図１及び図２に示すように、粘着シート２は、対向する長手方向の縁線２１，２２が、例えば同心円上の外周縁及び内周縁で形成されて湾曲している。さらに、短手方向の縁線２３，２４は、外周縁２１との内角が、内周縁２２との内角よりも小さくなるように形成されている。即ち、粘着シート２は、幅狭の扇形状に形成されている。
【００１８】
粘着シート２は、まぶた表面３に二重ひだを形成する二重ライン３１（図１参照）に沿って貼り付けられるように、二重ライン３１に対応した湾曲形状となるように寸法及び形状が設定されている。但し、人によって二重ライン３１の形状は異なるので、例えば複数人についての二重ライン３１の形状を測定しておき、平均的な二重ライン３１の形状に適合する湾曲形状に寸法及び形状を設定するようにしてもよい。また、粘着シート２の表裏面には、皮膚に適応した粘着剤として、例えばアクリル系粘着剤やゴム系粘着剤が塗布されて粘着性を有している。
【００１９】
前記粘着シート２は、薄膜状であり、曲げ易い材質が選択される。さらに前記粘着シート２は、まぶた表面３に貼り付けた際に目立たないように、透明又は半透明あるいは人肌色の材質を選択するのが好ましい。具体的な材質の一例を挙げておくと、樹脂系の材質、例えばポリエステル、ポリエチレン、ポリウレタン、ペット樹脂、ポリオレフィン、アセテートなどを選択することができる。さらに、粘着シート２は、通気性部材で構成することが好ましい。この場合、表面から裏面に貫通する通気孔（微細孔）を穿設することによって通気性部材とすることができる。
【００２０】
ここで、粘着シート２の寸法の一例を挙げておくと、粘着シート２の外郭は、外周縁２１がＲ２４．５ｍｍの円弧に、内周縁２２がＲ１２．５ｍｍの円弧に設定され、これにより湾曲した幅１．５ｍｍの帯状を形成し、さらに外周縁２１と縁線２３（２４）との内角が１６度、内周縁２２と縁線２３（２４）との内角が１６９度に設定されている。但し、本考案における粘着シート２は、前記寸法に限定されることはなく、寸法及び角度を例えば±５ｍｍ及び±５度の範囲で増減させるといったように、二重ライン３１の形状に適合するように任意に変更することが可能である。
【００２１】
続いて粘着シート２の製品としての形態について図３を参照しながら説明する。なお、図３（ａ）は上面図であり、図３（ｂ）は側面図である。図３を参照すると、隣り合う内周縁２２と外周縁２１とが接するようにして、複数の粘着シート２が並んだ状態で配置されており、これら複数の粘着シート２は、その粘着力を利用して台紙２５の表面に剥離可能なように貼り付けられている。台紙２５の表面は、剥離剤が塗布されており、容易に粘着シート２が剥離される構成である。また、台紙２５上に配置された粘着シート２の表面を覆うように、例えば当該粘着シート２の表面と同じ形状の剥離シート２６が剥離可能なように設けられている。当該剥離シート２の表面にも剥離剤が塗布されており、容易に粘着シート２から剥離される構成である。なお、台紙２５上の粘着シート２及び剥離シート２６は、隣り合う粘着シート２及び剥離シート２６とは各々独立しており、それぞれ１個づつ剥離して使用することが可能である。
【００２２】
ここで、上述したような構成の製品としての粘着シート２の製造方法について簡単に説明しておくと、まず、例えば四角形状の台紙及び粘着シート並びに剥離材を積層して３層構造のシートを形成しておき、そのうち剥離シート層から粘着シート層に至る所定形状の切り込みを形成し、余分な粘着シート層及び剥離シート層を除去することにより、図３に例示したような製品としての粘着シート２を製造することができる。
【００２３】
続いて、上述の粘着シート２を支持し、まぶた表面３の所定の位置例えば二重ライン３１に沿って粘着シート２を貼り付けるのに用いるスティック４について、図４を参照しながら説明する。なお、図４（ａ）は上面図であり、図４（ｂ）は側面図である。スティック４は、２本の棒状部材（４１ａ，４１ｂ）がＶ字状に延びるＶ字状部材で構成されている。これら２本の棒状部材４１ａ，４１ｂの先端同士の間隔（先端中心同士の離間距離Ｌ）は、例えば粘着シートの両端部間の長さと同じか又はそれよりも僅かに短い間隔例えば２〜４ｍｍ短い間隔に設定されている。このスティック４は、可撓性を有する樹脂系材質、例えばポリプロピレン、ポリエチレンなどからなり、これにより手に持った使用者が左右方向（図３における矢印方向）から２本の棒状部材４１ａ，４１ｂを挟持すると、先端部（４２ａ，４２ｂ）の間隔が狭くなり、そして使用者が挟持力を弱めると、元の状態に戻ろうとする復元力が働いて先端部４２ａ，４２ｂの間隔が広がる構成である。なお、２本の棒状部材の各々の一端側を回動可能に接続し、さらに、例えばバネ等の弾性部材で棒状部材を接続する構成とすることも可能である。この場合も、弾性部材の弾性力により樹脂系材質の場合と同様の可撓性を得ることができる。
【００２４】
さらに図３を参照すると、２本の棒状部材４１ａ，４１ｂの各々は、例えば、その縦断面が扁平のひし形形状をなしており、そして先端部４２ａ，４２ｂは縦断面がひし形を維持しながら先端に向かうにつれて細くなる形状であり、さらに、その先端は丸められている。また、各棒状部材４１ａ，４１ｂの外側側面には、すべり止めとして作用する２個の円形切り欠き部４３が間隔をおいてそれぞれ形成されている。
【００２５】
ここで、スティック４の寸法の一例を挙げておくと、棒状部材４１ａ，４１ｂは、上方から見て、幅が５ｍｍ（先端は１ｍｍ）、長さが８４ｍｍに設定され、各棒状部材４１ａ，４１ｂの中心線の角度は約１５度に、先端の離間距離は２１．５ｍｍに設定されている。また棒状部材４１ａ，４１ｂは、側方から見て、厚みが２．５（先端は１ｍｍ）に設定されている。但し、本考案におけるスティック４は、前記寸法に限定されることはなく、寸法及び角度を例えば±５ｍｍ及び±５度の範囲で増減させるといったように、例えば粘着シート２の形状に対応するように任意に変更することが可能である。
【００２６】
続いて、上述の粘着シート２及びスティック４を備えた二重まぶた形成具を用いて二重まぶたを形成する手順について、図５を参照しながら説明する。まず、図２に示したような製品形態の粘着シートを準備し、剥離シート２６を一枚剥離させる。このとき、直接、手を使って剥離してもよく、あるいはピンセットなどの道具を使って剥離してもよい。次いで、使用者はスティック４を一方の手で把持し、図５（ａ）に示すように、粘着シート２の表面に対して傾斜させた状態でスティック４の２本の先端を粘着シート２の両端部に押圧した後、スティック４と台紙２５とをゆっくりと相対的に離すことにより、粘着シート２の粘着性を利用してスティック４の先端に粘着シート２を貼り付ける。この場合、スティック４を一度横方向にスライドさせて隣の粘着シート２から切り離してから、上方に持ち上げるようにしてもよく、あるいは台紙２５を下方側に引き離すようにしてもよい。なお、前述のようにスティック４を使って粘着シート２を剥離させなくともよく、例えば使用者が手又はピンセット等で粘着シート２を台紙２５から一枚剥離し、そして両端部をスティック４の２本の先端に貼り付けて、スティック４で粘着シート２を支持するようにしてもよい。
【００２７】
このようにして、粘着シート２をスティック４で支持すると、例えば図５（ｂ）に示すように、スティック４を左右方向から使用者が手で挟持することによって先端の離間距離Ｌを狭め、これにより粘着シート２を湾曲させる。即ち、粘着シート２を厚さ方向に弓形にたるませる。そのたるみの程度としては、二重ライン３１の位置するまぶた表面３の湾曲具合に対応する程度にするのが好ましい。
【００２８】
続いて、例えば図６及び図７に示すように、使用者が二重まぶた３を形成しようとする方の目を閉じ、他方の手の指３２でまぶたの皮膚を上方に引っ張った状態で、略水平姿勢にしたスティック４を接近させて、粘着シート２のたゆみ山を、二重ライン３１の山に合わせるように貼り付ける。より詳しくは、外周縁２１が前方側であって内周縁２２が後方側に位置するようにして粘着シート２を接近させていき、外周縁２１の中央部がまぶた表面３に当接すると、スティック４を僅かに下方側にスライドさせながらまぶた表面３に向かって押すことにより、外周縁２１が上方側であって内周縁２２が下方側に位置する向きで、外周縁２１がまぶた表面３の二重ライン３１に沿うように張り付ける。このような粘着シート２を貼り付ける作業の様子に関し、図６は側方向から見た様子を示しており、また、図７は前方向から見た様子を示している。
【００２９】
さらに続いて、使用者がスティック４の挟持する力（挟持力）をゆっくりと弱めていくと、スティック４の有する復元力の作用により、２本の先端部４２ａ，４２ｂがゆっくりと左右に広がり、これにより先端部４２ａ，４２ｂが粘着シート２から離脱する。粘着シート２をまぶた表面３に貼り付けた状態については、図１を参照することができる。
【００３０】
このようにして粘着シート２がまぶた表面３に張り付けられると、使用者は、まぶたの皮膚を引っ張り上げていた他方の手の指３２を離すと共にまぶたをぐっと開き（目を見開き）、さらにスティック４の先端で二重ライン３１を押すことにより、粘着シート２の粘着作用によりまぶたの皮膚が目の奥の方で張り合わせられるようにする。このようにすると、例えば図８に示すように、まぶたの皮膚が粘着シート２によって二重ライン３１を介して折り込まれ、これにより二重ひだが形成されて二重まぶたとなる。なお、以上の説明では、向かって右側の目の場合を主として説明したが、左目に対しても同様の手順により二重まぶたを形成することができる。
【００３１】
上述の実施形態によれば、Ｖ字形状のスティック４の２本の先端部４２ａ，４２ｂを粘着シート２の両端部に貼り付ける構成としたことにより、鏡で見た際に粘着シート２がスティック４に隠れないので、予定とする位置に簡単に貼り付けることが可能となる。さらに、先端部４２ａ，４２ｂの間隔を狭めることによって粘着シート２の中央部を弓形にたるませた状態でまぶた表面３に貼り付ける構成としたことにより、貼り付けた粘着シート２の表面にしわができたり、一部分に応力が発生したりすることなく二重ライン３１に沿って粘着シート２を貼り付けることができる。さらにこの場合、スティック４の復元力を利用し、両端部を左右に広げることで粘着シート２から簡単に離脱させることが可能となる。
【００３２】
さらに上述の実施形態によれば、粘着シート２の形状を幅狭の扇形状とし、その外周縁２１が上方側であって内周縁２２が下方側に位置する向きで、外周縁２１がまぶた表面３の二重ライン３１に沿うように張り付ける構成としたことにより、二重まぶたを形成した際に、奥に位置する外周縁２１側でしっかりと皮膚を張り合わせることができる。そして、長さの短い内周縁２２側が前に位置するので、粘着シート２をより一層目立たないようにすることが可能となる。
【００３３】
粘着シート２の形状を決めるにあたり、考案者らは、種々の形状の粘着シート２を用意し、実際に二重まぶたを形成することを行った。図９は、その中の一部を示しており、併せて二重まぶたを形成した様子を模式的に示してある。その結果、内周縁２２を形成しない比較例１では、中央部側が二重ひだからはみ出してしまう。また、両端部の短手方向の縁線について、外周縁２１との内角が、内周縁２２との内角よりも大きく設定した比較例２では、目頭及び目尻側が二重ひだからはみ出してしまう。さらに、既述した特許文献１の形状にあっては、目尻側が二重ひだからはみ出してしまう。
【００３４】
これに対し、本考案の実施形態に従う形状にした粘着シート２は、完全に二重ひだの間に隠れている。ここで、粘着テープ２が目立たなくするために、単に幅を狭くしたり、あるいは長さを短くしたりしたのでは粘着面が減少する分において二重まぶたを維持する作用も減少してしまう。本考案の粘着テープ２は、外周縁２１及び内周縁２２により湾曲した形状であって、外周縁２１との内角が、内周縁２２との内角よりも小さくなる扇形状としたことにより、より確実な粘着作用が得られ、且つ目立たなくすることを実現したのである。
【００３５】
さらに上述の実施形態によれば、通気性部材で粘着シート２を形成したことにより、汗などによる粘着力の低下を抑制することができ、その結果、形成した二重まぶたを、より長く安定して維持することができる。さらに、この場合、皮膚のかぶれなどを防止することが可能になるという利点がある。
【００３６】
なお、本考案においては、スティック４を用いた場合には、必ずしも粘着テープ２は扇形状でなくともよく、さらに、中央を介して左右対称でなくともよい。即ち、粘着テープ２は、幅狭の帯状であれば任意に形状を変更することができる。但し、中央を介して左右対称な形状にすれば、両目のいずれにも使用することができる利点がある。
【００３７】
さらに、本考案においては、粘着テープ２を扇形状にした場合には、必ずしもスティック４を用いなくともよく、手を使って弓形にして貼り付け、プッシャーと呼ばれる従来のスティックを用いて二重ひだを形成するようにしてもよい。
【図面の簡単な説明】
【００３８】
【図１】本考案の実施の形態に係る粘着シートをまぶたの表面に貼り付けた様子を示す図である。
【図２】本考案の実施の形態に係る粘着シートを示す図である。
【図３】上記粘着シートの製品形態を示す図である。
【図４】本考案の実施の形態に係るＶ字形状のスティックを示す図である。
【図５】上記スティックを用いて粘着シートを支持する様子を示す図である。
【図６】上記スティックを用いて粘着シートをまぶた表面に貼り付ける様子を示す図である。
【図７】上記スティックを用いて粘着シートをまぶた表面に貼り付ける様子を示す図である。
【図８】上記粘着シートにより二重まぶたを形成した様子を示す図である。
【図９】粘着シートの形状を決める際に行った試験の結果を示す図である。
【図１０】従来の二重まぶた形成具を説明するための図である。
【図１１】従来の他の二重まぶた形成具を説明するための図である。
【符号の説明】
【００３９】
２    粘着シート
２５  台紙
２６  剥離シート
３    まぶた表面
３１  二重ライン
４    スティック
４１ａ，４１ｂ  棒状部材
４２ａ，４２ｂ  先端部
４３  切り欠き部
【図１】
0003119162.tif 000003
【図２】
0003119162.tif 000004
【図３】
0003119162.tif 000005
【図４】
0003119162.tif 000006
【図５】
0003119162.tif 000007
【図６】
0003119162.tif 000008
【図７】
0003119162.tif 000009
【図８】
0003119162.tif 000010
【図９】
0003119162.tif 000011
【図１０】
0003119162.tif 000012
【図１１】
0003119162.tif 000013